【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】以下の（a）〜（c）からなる群から選択されるタンパク質またはその塩：
（a）配列番号：８で表わされるアミノ酸配列を含有し、かつステロール感知能を有し、配列番号：３８で表わされるアミノ酸配列を含まないタンパク質；
（b）配列番号：８で表わされるアミノ酸配列と５０％以上の相同性を有するアミノ酸配列を含有し、かつステロール感知能を有し、配列番号：３８で表わされるアミノ酸配列を含まないタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有し、配列番号：３８で表わされるアミノ酸配列を含まないタンパク質。
【請求項２】以下の（a）〜（c）からなる群から選択される請求項１記載のタンパク質またはその塩：
（a）配列番号：８で表わされるアミノ酸配列を含有し、かつステロール感知能を有し、配列番号：３８で表わされるアミノ酸配列を含まないタンパク質；
（b）配列番号：８で表わされるアミノ酸配列と９５％以上の相同性を有するアミノ酸配列を含有し、かつステロール感知能を有し、配列番号：３８で表わされるアミノ酸配列を含まないタンパク質；および
（c）配列番号：８で表わされるアミノ酸配列中の数個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有し、配列番号：３８で表わされるアミノ酸配列を含まないタンパク質。
【請求項３】以下の（a）〜（f）からなる群から選択される請求項１記載のタンパク質またはその塩：
（a）配列番号：９で表わされるアミノ酸配列の第２２番目〜第１３３２番目のアミノ酸配列を含有するタンパク質；
（b）配列番号：９で表わされるアミノ酸配列の第２２番目〜第１３３２番目のアミノ酸配列と５０％以上の相同性を有するアミノ酸配列を含有するタンパク質；
（c）配列番号：９で表わされるアミノ酸配列の第２２番目〜第１３３２番目のアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有するタンパク質；
（d）配列番号：９で表わされるアミノ酸配列を含有するタンパク質；
（e）配列番号：９で表わされるアミノ酸配列と５０％以上の相同性を有するアミノ酸配列を含有するタンパク質；および
（f）配列番号：９で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有するタンパク質。
【請求項４】以下の（a）〜（f）からなる群から選択される請求項３記載のタンパク質またはその塩：
（a）配列番号：９で表わされるアミノ酸配列の第２２番目〜第１３３２番目のアミノ酸配列を含有するタンパク質；
（b）配列番号：９で表わされるアミノ酸配列の第２２番目〜第１３３２番目のアミノ酸配列と９５％以上の相同性を有するアミノ酸配列を含有するタンパク質；
（c）配列番号：９で表わされるアミノ酸配列の第２２番目〜第１３３２番目のアミノ酸配列中の数個のアミノ酸が欠失したアミノ酸配列、付加したアミノ酸配列、置換されたアミノ酸配列またはそれらの欠失、付加もしくは置換を組み合わせたアミノ酸配列を含有するタンパク質；
（d）配列番号：９で表わされるアミノ酸配列を含有するタンパク質；
（e）配列番号：９で表わされるアミノ酸配列と９５％以上の相同性を有するアミノ酸配列を含有するタンパク質；および
（f）配列番号：９で表わされるアミノ酸配列中の数個のアミノ酸が欠失したアミノ酸配列、付加したアミノ酸配列、置換されたアミノ酸配列またはそれらの欠失、付加もしくは置換を組み合わせたアミノ酸配列を含有するタンパク質。
【請求項５】配列番号：９で表わされるアミノ酸配列の第２２番目〜第１３３２番目のアミノ酸配列からなるタンパク質および配列番号：９で表わされるアミノ酸配列からなるタンパク質から選択される請求項３記載のタンパク質またはその塩。
【請求項６】以下の（a）〜（c）からなる群から選択されるタンパク質またはその塩：
（a）配列番号：１６で表わされるアミノ酸配列を含有し、かつステロール感知能を有するタンパク質；
（b）配列番号：１６で表わされるアミノ酸配列と５０％以上の相同性を有するアミノ酸配列を含有し、かつステロール感知能を有するタンパク質；および
（c）配列番号：１６で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質。
【請求項７】以下の（a）〜（c）からなる群から選択される請求項６記載のタンパク質またはその塩：
（a）配列番号：１７で表わされるアミノ酸配列を含有するタンパク質；
（b）配列番号：１７で表わされるアミノ酸配列と５０％以上の相同性を有するアミノ酸配列を含有するタンパク質；および
（c）配列番号：１７で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有するタンパク質。
【請求項８】以下の（a）〜（c）からなる群から選択される請求項６記載のタンパク質またはその塩：
（a）配列番号：３４で表わされるアミノ酸配列を含有するタンパク質；
（b）配列番号：３４で表わされるアミノ酸配列と５０％以上の相同性を有するアミノ酸配列を含有するタンパク質；および
（c）配列番号：３４で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有するタンパク質。
【請求項９】以下の（a）〜（c）からなる群から選択される請求項６記載のタンパク質またはその塩：
（a）配列番号：３５で表わされるアミノ酸配列を含有するタンパク質；
（b）配列番号：３５で表わされるアミノ酸配列と５０％以上の相同性を有するアミノ酸配列を含有するタンパク質；および
（c）配列番号：３５で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有するタンパク質。
【請求項１０】以下の（a）〜（c）からなる群から選択される請求項６記載のタンパク質またはその塩：
（a）配列番号：４０で表わされるアミノ酸配列を含有するタンパク質；
（b）配列番号：４０で表わされるアミノ酸配列と５０％以上の相同性を有するアミノ酸配列を含有するタンパク質；および
（c）配列番号：４０で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有するタンパク質。
【請求項１１】（1）以下の（a）〜（c）からなる群から選択されるタンパク質またはその塩：
（a）配列番号：８で表わされるアミノ酸配列を含有し、かつステロール感知能を有し、配列番号：３８で表わされるアミノ酸配列を含まないタンパク質；
（b）配列番号：８で表わされるアミノ酸配列と５０％以上の相同性を有するアミノ酸配列を含有し、かつステロール感知能を有し、配列番号：３８で表わされるアミノ酸配列を含まないタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有し、配列番号：３８で表わされるアミノ酸配列を含まないタンパク質；または
（2）請求項６記載のタンパク質をコードする塩基配列を含有するＤＮＡを含有するＤＮＡ。
【請求項１２】（1）配列番号：７で表される塩基配列の第６４番目〜第３９９９番目の塩基配列、（2）配列番号：１５で表される塩基配列、（3）配列番号：３２で表される塩基配列、（4）配列番号：３３で表される塩基配列または（5）配列番号：４１で表される塩基配列を含有する請求項１１記載のＤＮＡ。
【請求項１３】請求項１１記載のＤＮＡを含有する組換えベクター。
【請求項１４】請求項１３記載の組換えベクターで形質転換された形質転換体。
【請求項１５】請求項１４記載の形質転換体を培養し、該タンパク質を生成せしめることを特徴とする、（1）以下の（a）〜（c）からなる群から選択されるタンパク質またはその塩：
（a）配列番号：８で表わされるアミノ酸配列を含有し、かつステロール感知能を有し、配列番号：３８で表わされるアミノ酸配列を含まないタンパク質；
（b）配列番号：８で表わされるアミノ酸配列と５０％以上の相同性を有するアミノ酸配列を含有し、かつステロール感知能を有し、配列番号：３８で表わされるアミノ酸配列を含まないタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有し、配列番号：３８で表わされるアミノ酸配列を含まないタンパク質；または
（2）請求項６記載のタンパク質またはその塩の製造法。
【請求項１６】（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩に対する抗体。
【請求項１７】（1）以下の（a）〜（c）からなる群から選択されるタンパク質またはその塩：
（a）配列番号：８で表わされるアミノ酸配列を含有し、かつステロール感知能を有し、配列番号：３８で表わされるアミノ酸配列を含まないタンパク質；
（b）配列番号：８で表わされるアミノ酸配列と５０％以上の相同性を有するアミノ酸配列を含有し、かつステロール感知能を有し、配列番号：３８で表わされるアミノ酸配列を含まないタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有し、配列番号：３８で表わされるアミノ酸配列を含まないタンパク質；または
（2）請求項６記載のタンパク質またはその塩を含有する医薬。
【請求項１８】請求項１１記載のＤＮＡを含有する医薬。
【請求項１９】糖尿病、肥満、癌、動脈硬化症、高脂血症、神経変性疾患または神経障害の予防・治療剤である請求項１７または請求項１８記載の医薬。
【請求項２０】請求項１１記載のＤＮＡまたは請求項１６記載の抗体を含有してなる糖尿病、肥満、癌、動脈硬化症、高脂血症、神経変性疾患または神経障害の診断剤。
【請求項２１】（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩を用いることを特徴とする（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩の活性を促進または阻害する化合物またはその塩のスクリーニング方法。
【請求項２２】（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩を含有してなる、（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩の活性を促進または阻害する化合物またはその塩のスクリーニング用キット。
【請求項２３】（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩を用いることを特徴とする、（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩のステロール感知能を変化させる化合物またはその塩のスクリーニング方法。
【請求項２４】（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩を含有することを特徴とする、（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質またはその塩のステロール感知能を変化させる化合物またはその塩のスクリーニング用キット。
【請求項２５】請求項１１記載のＤＮＡまたはその一部を用いることを特徴とする（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質のｍＲＮＡの定量方法。
【請求項２６】請求項１６記載の抗体を用いることを特徴とする（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質の定量方法。
【請求項２７】請求項２５または請求項２６記載の定量方法を用いることを特徴とする、（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質の機能が関連する疾患の診断方法。
【請求項２８】請求項２５記載の定量方法を用いることを特徴とする、（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質の発現量を変化させる化合物またはその塩のスクリーニング方法。
【請求項２９】請求項２６記載の定量方法を用いることを特徴とする、細胞内の（1）以下の（a）〜（c）からなる群から選択されるタンパク質またはその塩：
（a）配列番号：８で表わされるアミノ酸配列を含有し、かつステロール感知能を有するタンパク質；
（b）配列番号：８で表わされるアミノ酸配列と５０％以上の相同性を有するアミノ酸配列を含有し、かつステロール感知能を有するタンパク質；および
（c）配列番号：８で表わされるアミノ酸配列中の１〜３０個のアミノ酸が欠失したアミノ酸配列、付加したアミノ酸配列、置換されたアミノ酸配列またはそれらの欠失、付加もしくは置換を組み合わせたアミノ酸配列を含有し、かつステロール感知能を有するタンパク質；または
（2）請求項６記載のタンパク質のタンパク質量を変化させる化合物またはその塩のスクリーニング方法。
【請求項３０】ＳＳＤ含有タンパク質に働いて細胞内コレステロール輸送調節作用を有する化合物またはその塩を含有してなる糖尿病、肥満、癌、動脈硬化症、高脂血症、神経変性疾患または神経障害の予防・治療剤。